(57)【特許請求の範囲】
【請求項１】
下部プレートと、
第１面が、前記下部プレートに結合された内マグネットと、
前記内マグネットの前記第１面の反対側の第２面に結合された内プレートと、
前記内プレートと第１の磁気ギャップを介して配置され、かつ、前記下部プレートに結合された第１の外磁気部と、
前記下部プレートまたは前記第１の外磁気部の少なくともいずれか一つと結合されたフレームと、
外周端部が前記フレームに支持された振動板と、
第１端が前記振動板に結合され、前記第１端と反対側の第２端が、前記第１の磁気ギャップに挿入された筒状のボイスコイルと、を備え、
前記内プレートには切り欠き部が形成されており、前記内プレートの上面から見て、前記切り欠き部において、前記内プレートの外周は、前記内マグネットの外周より小さく、
前記内プレートの上面から見た場合に、前記ボイスコイルと前記内プレートとの間には、磁性流体が保持された保持部と、空隙が形成された空隙部が配置されており、かつ、前記保持部と前記空隙部は隣接しており、前記切り欠き部は、前記空隙部と前記保持部との境界部分に形成されており、前記切り欠き部の一部に、前記磁性流体の一部が保持されているラウドスピーカ。
【請求項２】
前記第１の外磁気部は、前記第１の磁気ギャップを介して、前記内プレートの周囲を囲むように形成されている、
請求項１記載のラウドスピーカ。
【請求項３】
前記内プレートの前記第１の外磁気部の反対側に、前記内プレートと第２の磁気ギャップを介して配置され、第１面が、前記下部プレートに結合された第２の外磁気部を、さらに備え、
前記ボイスコイルの前記第２端は、前記第１の磁気ギャップと、前記第２の磁気ギャップに挿入されている、
請求項１記載のラウドスピーカ。
【請求項４】
前記内マグネットは、第１側面と、前記内マグネットの前記第１側面の反対側で前記第１側面と略平行な第２側面とを有し、
前記内プレートは、前記第１側面に略平行な第３側面と、前記第２側面に略平行な第４側面とを有し、
前記第１の外磁気部は、前記第１の磁気ギャップを介して、前記第３側面と対向して配置されており、
前記第２の外磁気部は、前記第２の磁気ギャップを介して、前記第４側面と対向して配置されている、
請求項３記載のラウドスピーカ。
【請求項５】
前記第１の外磁気部は、第１の外マグネットと第１の外プレートとを有しており、
前記第２の外磁気部は、第２の外マグネットと第２の外プレートとを有しており、
前記第１の外マグネットと前記第２の外マグネットが、前記下部プレートに結合されており、
前記内マグネットは、前記第１の外マグネットと前記第２の外マグネットの着磁方向と逆である、
請求項３記載のラウドスピーカ。
【請求項６】
前記内マグネットは、前記内マグネットの前記第１側面と略直交する第５側面と、前記第５側面の反対側で前記第５側面と略並行な第６側面を有し、
前記内プレートは、前記第５側面に略平行な第７側面と、前記第６側面に略平行な第８側面とを有する、
請求項４記載のラウドスピーカ。
【請求項７】
前記切り欠き部は、前記内プレートの前記第３側面と前記第４側面に形成されている、
請求項６記載のラウドスピーカ。
【請求項８】
前記切り欠き部は、前記内プレートの前記第７側面と前記第８側面に形成されている、
請求項６記載のラウドスピーカ。
【請求項９】
前記切り欠き部は、前記内プレートの、前記第３側面と前記第７側面との間、記第３側面と前記第８側面との間、記第４側面と前記第７側面との間、記第４側面と前記第８側面との間の少なくとも一つに形成されている、
請求項６記載のラウドスピーカ。
【請求項１０】
前記内プレートの前記上面から見て、前記内マグネットは略四角形であり、
前記切り欠き部は、前記内マグネットの四隅の上部に形成されている、
請求項６記載のラウドスピーカ。
【請求項１１】
前記内プレートの前記上面から見て、前記内プレートは略四角形であり、
前記切り欠き部は、前記内プレートの四隅に形成されている、
請求項６記載のラウドスピーカ。
【請求項１２】
前記内プレートの前記上面から見て、前記内マグネットは、４５°に面取りされた４箇所の角部を有している、
請求項６記載のラウドスピーカ。
【請求項１３】
前記ボイスコイルは、前記内プレートの前記第３側面と略並行な第９側面と、前記第４側面と略並行な第１０側面と、前記第７側面と略並行な第１１側面と、前記第８側面と略並行な第１２側面と、を有し、
前記第７側面と前記第１１側面との間、および前記第８側面と前記第１２側面との間に前記空隙部が形成されている、
請求項６記載のラウドスピーカ。
【請求項１４】
前記内プレートの前記上面から見た場合、
前記第１１側面から前記第７側面までの距離は、前記第１１側面から前記第５側面までの距離よりも長く、
前記第１２側面から前記第８側面までの距離は、前記第１２側面から前記第６側面までの距離よりも長い、
請求項１３記載のラウドスピーカ。
【請求項１５】
前記内プレートの前記上面から見た場合、前記第９側面から前記第３側面までの距離は、前記第９側面から前記第１側面までの距離よりも長く、
前記第７側面から前記第１１側面までの距離と、前記第８側面から前記第１２側面までの距離は、前記第３側面から前記第９側面までの距離と、前記第４側面から前記第１０側面までの距離よりも長い、
請求項１３記載のラウドスピーカ。
【請求項１６】
第３の磁気ギャップを介して、前記内プレートの前記第７側面と対向して配置された第３の外磁気部と、
第４の磁気ギャップを介して、前記内プレートの前記第８側面と対向して配置された第４の外磁気部とを、さらに備え、
前記ボイスコイルの前記第２端は、前記第１の磁気ギャップと、前記第２の磁気ギャップと、前記第３の磁気ギャップと、前記第４の磁気ギャップに挿入されている、
請求項６記載のラウドスピーカ。
【請求項１７】
前記第３の外磁気部は、第３の外マグネットと第３の外プレートとを有しており、
前記第４の外磁気部は、第４の外マグネットと第４の外プレートとを有しており、
前記第３の外マグネットと前記第４の外マグネットが、前記下部プレートに結合されており、
前記内マグネットは、前記第３の外マグネットと前記第４の外マグネットの着磁方向と逆である、
請求項１６記載のラウドスピーカ。
【請求項１８】
前記第１の外磁気部は、第１の外マグネットと第１の外プレートとを有しており、
前記第２の外磁気部は、第２の外マグネットと第２の外プレートとを有しており、
前記第１の外マグネットと前記第２の外マグネットが、前記下部プレートに結合されており、
前記内マグネットは、前記第１の外マグネットと前記第２の外マグネットの着磁方向と逆であり、
前記第１の外マグネットと前記第３の外マグネットとの最短距離を第１の幅とし、
前記第２の外マグネットと前記第３の外マグネットとの最短距離を第２の幅とし、
前記第１の外マグネットと前記第４の外マグネットとの最短距離を第３の幅とし、
前記第２の外マグネットと前記第４の外マグネットとの最短距離を第４の幅とし、
前記下部プレートと前記ボイスコイルの前記第２端との間の最短距離を高さとし、
前記第１の幅に前記高さを乗じた値を第１の面積とし、
前記第２の幅に前記高さを乗じた値を第２の面積とし、
前記第３の幅に前記高さを乗じた値を第３の面積とし、
前記第４の幅に前記高さを乗じた値を第４の面積とし、
前記第１の面積と、前記第２の面積と、前記第３の面積と、前記第４の面積との総和を第１の総面積とし、
前記内プレートの前記上面から見て、前記空隙部の総面積を第２の総面積とし、
前記内プレートの前記上面から見て、前記切り欠き部において、前記内マグネットが、前記磁性流体で覆われていない箇所の面積を第３の総面積とし、
前記第２の総面積から前記第３の総面積を差し引いた値を第４の総面積とした場合に、前記第１の総面積は、前記第４の総面積よりも大きい、
請求項１７記載のラウドスピーカ。
【請求項１９】
前記切り欠き部は、複数の切り欠き部のうちの一つであり、
前記内プレートの前記上面から見た場合、前記複数の切り欠き部は、前記内プレートの中心に対して、回転対象に配置されている、
請求項４に記載のラウドスピーカ。
【請求項２０】
前記内プレートの前記上面から見て、前記切り欠き部は、四角形状である、
請求項４に記載のラウドスピーカ。
【請求項２１】
前記磁性流体の飽和磁束密度は、２０ｍＴ以上、２００ｍＴ以下である、
請求項１記載のラウドスピーカ。
【請求項２２】
請求項１記載のラウドスピーカと、
前記ラウドスピーカに電気信号を供給する増幅部と、
を備えた、
電子機器。
【請求項２３】
移動可能な本体部と、
前記本体部に搭載された動力発生部と、
前記動力発生部と連結され、前記動力発生部で発生した動力が伝達され、前記本体部を移動させる駆動部と、
前記駆動部と連結され、前記本体部の進行方向を変化させる操舵部と、
前記本体部に搭載された請求項１記載のラウドスピーカと、を備えた、
移動体装置。
【発明の詳細な説明】
【技術分野】
【０００１】
本開示は、各種の電子機器に搭載されるラウドスピーカと、ラウドスピーカを用いた電子機器、および移動体装置に関する。
【背景技術】
【０００２】
従来のラウドスピーカは、フレームと、磁気ギャップを有した磁気回路と、ボイスコイルと、振動板と、センターポールとを有している。磁気回路は、ヨークと、環状のマグネットと、環状の上部プレートと、磁性流体とを有している。なお、センターポールは、柱状の突起であり、ヨークの中央に形成されている。【０００３】
磁気回路は、フレーム内に収容されて、フレームと結合されている。振動板の外周部は、フレームに連結されている。マグネットは、ヨークと結合されている。上部プレートは、マグネットの上に結合されている。センターポールは、マグネットと上部プレートとの中心を貫通している。磁気ギャップは、センターポールの側面と上部プレートの内周側面との間に形成されている。ボイスコイルの一方の端部は、振動板に結合されている。ボイスコイルの他方の端部は、磁気ギャップに挿入されている。【０００４】
以上の構成において、磁性流体が、ボイスコイルとセンターポールの間と、ボイスコイルと上部プレートとの間に充填されている。【０００５】
なお、この出願の発明に関連する先行技術文献情報としては、例えば、特許文献１が知られている。
【先行技術文献】
【特許文献】
【０００６】
【特許文献１】特開昭５９−１５２７９７号公報
【発明の概要】
【０００７】
本開示のラウドスピーカは、下部プレートと、内マグネットと、内プレートと、外磁気部（第１の外磁気部）と、フレームと、振動板と、ボイスコイルと、を備えている。
【０００８】
内マグネットの第１面は、下部プレートに結合されている。
【０００９】
内プレートは、内マグネットの第１面の反対側の第２面に結合されている。
【００１０】
第１の外磁気部は、内プレートと第１の磁気ギャップを介して配置され、かつ、下部プレートに結合されている。
【００１１】
フレームは、下部プレートまたは第１の外磁気部の少なくともいずれか一つと結合されている。
【００１２】
振動板の外周端部は、フレームに支持されている。
【００１３】
筒状のボイスコイルの第１端が振動板に結合され、第１端と反対側の第２端が、第１の磁気ギャップに挿入されている。
【００１４】
内プレートには切り欠き部が形成されている。内プレートの上面から見て、切り欠き部において、内プレートの外周は、内マグネットの外周より小さい。
【００１５】
内プレートの上面から見た場合に、ボイスコイルと内プレートとの間には、磁性流体が保持された保持部と、空隙が形成された空隙部が配置されている。保持部と空隙部は隣接している。
【００１６】
切り欠き部は、空隙部と保持部との境界部分に形成されており、切り欠き部の一部に、磁性流体が保持されている。
【図面の簡単な説明】
【００１７】
【図１】図１は、本実施の形態におけるラウドスピーカの上面断面図である。
【図２】図２は、図１の線２−２における断面図である。
【図３】図３は、図１の線３−３における断面図である。
【図４】図４は、本実施の形態における磁気回路の上面図である。
【図５Ａ】図５Ａは、本実施の形態における他の内磁気部の上面図である。
【図５Ｂ】図５Ｂは、本実施の形態におけるさらに他の内磁気部の上面図である。
【図５Ｃ】図５Ｃは、本実施の形態におけるさらに他の内磁気部の上面図である。
【図５Ｄ】図５Ｄは、本実施の形態におけるさらに他の内磁気部の上面図である。
【図５Ｅ】図５Ｅは、本実施の形態における他の磁気回路の斜視図である。
【図６】図６は、本実施の形態におけるさらに他の磁気回路の斜視図である。
【図７】図７は、本実施の形態におけるさらに他の磁気回路を用いたラウドスピーカの断面図である。
【図８】図８は、本実施の形態におけるさらに他の磁気回路を用いたラウドスピーカの上面断面図である。
【図９】図９は、図８の線９−９における断面図である。
【図１０】図１０は、本実施の形態におけるさらに他の磁気回路の上面図である。
【図１１】図１１は、本実施の形態におけるさらに他の磁気回路を用いたラウドスピーカの部分断面模式図である。
【図１２】図１２は、本実施の形態におけるさらに他の磁気回路を用いたラウドスピーカの部分上面断面図である。
【図１３】図１３は、本実施の形態におけるさらに他の磁気回路を用いたラウドスピーカの断面図である。
【図１４Ａ】図１４Ａは、本実施の形態における円形状の磁気回路の上面図である。
【図１４Ｂ】図１４Ｂは、本実施の形態における楕円形状の磁気回路の上面図である。
【図１４Ｃ】図１４Ｃは、本実施の形態における角丸長方形状の内マグネットを用いた磁気回路の上面図である。
【図１５】図１５は、本実施の形態における電子機器の要部断面図である。
【図１６】図１６は、本実施の形態における移動体装置の概念図である。
【発明を実施するための形態】
【００１８】
従来のラウドスピーカにおいて、振動板とボイスコイルとセンターポールに囲まれた空間の空気は、振動板の振動によって、この空間の外へと流出する。また、振動板の振動によって、ラウドスピーカの外部からのこの空間へ空気が流入する。そのため、ボイスコイルの振幅が大きい場合、空気の流入や流出によって、磁性流体の飛散が生じ易い。また、磁性流体に落下などによる衝撃力が加わった場合も、磁性流体の飛散が生じ易い。
【００１９】
以下本実施の形態におけるラウドスピーカと、このラウドスピーカを搭載した電子機器について説明する。まず、ラウドスピーカの説明に先立って、電子機器について説明する。ラウドスピーカは、設置型の電子機器に搭載されている。設置型の電子機器は、たとえばテレビ等の映像機器や、ミニコンポ等の音響機器である。このような設置型の電子機器は、家庭内で設置して使用されるため、磁性流体に衝撃が加わる状況が発生しにくい。したがって、設置型の電子機器は、ボイスコイルの振動に対しての磁性流体の飛散についてのみ考慮すればよい。
【００２０】
従来のラウドスピーカを、たとえば高音域再生専用のツィータとして用いる場合、低音域の信号が、従来のラウドスピーカに入力されるのを抑制する必要がある。すなわち、ボイスコイルの振幅量を小さくして、磁性流体の飛散を抑制する必要がある。また、フルレンジやウーファのように全帯域を再生できるラウドスピーカは、低音域を入力する場合、ボイスコイルの振幅量が大きい。そこで、これらのラウドスピーカにおいては、ボイスコイルの振幅による磁性流体の飛散を抑制する必要がある。
【００２１】
また、携帯電話や、スマートフォンや、携帯型のゲーム機や、ポータブルナビゲーションなどのような携帯型の電子機器が普及してきている。携帯型の電子機器は、持ち運ぶために、小さく、軽いことが要求される。
【００２２】
近年、動画や番組などのインターネット配信の増加に伴って、使用者が、このような携帯型の電子機器を用いて映画や番組などの動画を視聴する機会が増えている。そのため、携帯型の電子機器であっても、迫力のある音を再生できることが要求されている。
【００２３】
したがって、携帯型の電子機器に搭載されるラウドスピーカは、小型でありながら、大きな音圧レベルの音を再生できるための高い耐入力や、低い音を再生するための広い再生周波数などの特性が要求されている。すなわち、携帯型の電子機器に搭載されるラウドスピーカに対しても、ボイスコイルの大きな振幅により磁性流体が飛散することを抑制する必要がある。さらに、携帯型の電子機器に搭載されるラウドスピーカは、誤って電子機器を落下させた場合の落下衝撃に対しても、磁性流体の飛散を抑制する必要がある。
【００２４】
（実施の形態）
以下、本実施の形態におけるラウドスピーカ２１について図面を用いて説明する。図１は、本実施の形態におけるラウドスピーカ２１の上面断面図である。図２は、図１の線２−２における断面図である。すなわち、図２は、図１のラウドスピーカ２１の長辺での断面図である。図３は、図１の線３−３における断面図である。すなわち、図３は、図１のラウドスピーカ２１の短辺での断面図である。図４は、本実施の形態における磁気回路２２の上面図である。
【００２５】
本開示のラウドスピーカ２１は、下部プレート２８と、内マグネット２９と、内プレート３０と、外磁気部２２Ｂ（第１の外磁気部）と、フレーム２４と、振動板２５と、ボイスコイル２６と、を備えている。
【００２６】
内マグネット２９の第１面は、下部プレート２８に結合されている。
【００２７】
内プレート３０は、内マグネット２９の第１面の反対側の第２面に結合されている。
【００２８】
外磁気部２２Ｂは、内プレート３０と磁気ギャップ２３Ａ（第１の磁気ギャップ）を介して配置され、かつ、下部プレート２８に結合されている。
【００２９】
フレーム２４は、下部プレート２８または外磁気部２２Ｂの少なくともいずれか一つと結合されている。
【００３０】
振動板２５の外周端部は、フレーム２４に支持されている。
【００３１】
筒状のボイスコイル２６の第１端２６Ａが振動板２５に結合され、第１端２６Ａと反対側の第２端２６Ｂが、磁気ギャップ２３Ａに挿入されている。
【００３２】
内プレート３０には切り欠き部３１が形成されている。内プレート３０の上面から見て、切り欠き部３１において、内プレート３０の外周は、内マグネット２９の外周より小さい。
【００３３】
ボイスコイル２６と内プレート３０との間には、磁性流体２７が保持された保持部２７Ａ、２７Ｂ、２７Ｃと、空隙が形成された空隙部３２が配置されている。保持部２７Ａ、２７Ｂ、２７Ｃと空隙部３２とは隣接している。
【００３４】
切り欠き部３１の一部に、磁性流体２７が保持されている。
【００３５】
以下、本開示のラウドスピーカ２１について詳細に説明する。ラウドスピーカ２１は、磁気回路２２と、フレーム２４と、振動板２５と、ボイスコイル２６と、磁性流体２７とを有している。磁気回路２２は、磁気ギャップ２３Ａを有している。磁性流体２７は、保持部２７Ａ、２７Ｂ、２７Ｃに保持されている。保持部２７Ｂは、溜り部ともいう。磁気回路２２は、下部プレート２８と、内磁気部２２Ａと、外磁気部２２Ｂとを有している。内磁気部２２Ａは、内マグネット２９と、内プレート３０とを有している。内マグネット２９は、磁極２９Ａと、磁極２９Ｂとを有している。なお、磁極２９Ｂは、磁極２９Ａの反対の極性を有している。
【００３６】
内プレート３０は、上面６０と、下面６１と、側面３０Ａと、側面３０Ｃとを有している。上面６０は、下面６１の反対の面である（図２）。側面３０Ａは、上部から見た場合における内プレート３０の長辺である（図１、図４）。ここで、側面３０Ａ１と側面３０Ａ２とを総称して側面３０Ａとする。切り欠き部３１は、内プレート３０の四隅に形成されている。切り欠き部３１Ａと切り欠き部３１Ｂとを総称して切り欠き部３１とする。切り欠き部３１Ａ１と切り欠き部３１Ａ２とを総称して切り欠き部３１Ａとする。切り欠き部３１Ｂ１と切り欠き部３１Ｂ２とを総称して切り欠き部３１Ｂとする。
【００３７】
側面３０Ｃは、側面３０Ｂと、側面３０Ｄとを有している（図４）。側面３０Ｂ１と、側面３０Ｂ２とを総称して側面３０Ｂとする。側面３０Ｂは、内プレート３０を上面６０から見た場合に、内マグネット２９の外周端よりも内側に配置されている。また、切り欠き部３１は、側面３０Ａの端部に隣接して形成されている。切り欠き部３１は、内プレート３０の上面から下面までを貫通して設けられている。側面３０Ｄと、側面３０Ａとは、切り欠き部３１を挟んで配置されている。内プレート３０の下面６１は、磁極２９Ａに結合されている。
【００３８】
外磁気部２２Ｂは、側面３０Ａの少なくとも一部に対して、磁気ギャップ２３Ａを介して対向している（図４）。筒状のボイスコイル２６は、第１端２６Ａと第２端２６Ｂとを有している（図２、図３）。第２端２６Ｂは、第１端２６Ａの反対の端である。ボイスコイル２６の第１端２６Ａは、振動板２５に結合されている。ボイスコイル２６の第２端２６Ｂは、磁気ギャップ２３Ａに挿入されている。ボイスコイル２６の内側面の一部分（側面２３０Ａ）は、側面３０Ａと対向している。ボイスコイル２６の内側面の他の一部分（側面２３０Ｄ）は、側面３０Ｃに対して空隙を介して配置されている。ここで、側面２３０Ａとは、ボイスコイル２６の、側面３０Ａと対向する部分である。また、側面２３０Ａ１と側面２３０Ａ２とを総称して側面２３０Ａとする。さらに、側面２３０Ｄとは、ボイスコイル２６の、側面３０Ｃと対向する部分である。また、側面２３０Ｄ１と、側面２３０Ｄ２とを総称して側面２３０Ｄとする。上記の空隙が形成されている箇所を空隙部３２とする。なお、空隙部３２Ａと空隙部３２Ｂを総称して空隙部３２とする。フレーム２４は、下部プレート２８または外磁気部２２Ｂの少なくともいずれか一方と結合されている。
【００３９】
振動板２５の外周端部は、フレーム２４によって支持されている（図２、図３）。また、下部プレート２８は、磁極２９Ｂおよび外磁気部２２Ｂと結合されている。保持部２７Ａは、側面３０Ａとボイスコイル２６の内側面との間に形成される（図１）。
【００４０】
切り欠き部３１Ａは、空隙部３２と保持部２７Ａとの境界部分に形成される。そして、側面３０Ｂを内マグネット２９の外周端よりも内側に配置しているので、切り欠き部３１Ａ、３１Ｂにおける内マグネット２９の磁力によって、磁性流体２７は、切り欠き部３１Ａ、３１Ｂの一部に吸引された状態で保持される。その結果、切り欠き部３１Ａ、３１Ｂに磁性流体２７の保持部２７Ｂ（溜り部）が形成される。そのため、ラウドスピーカ２１に落下などの衝撃力が加わった場合でも、磁性流体は、内マグネット２９の磁力によって保持部２７Ｂへ保持される。その結果、磁性流体の飛散が抑制される。
【００４１】
また、振動板２５の振動によって、振動板２５と、ボイスコイル２６と、内磁気部２２Ａとにより囲まれた空間の容積は増減する。振動板２５が、空間の容積を減少させる方向に振動する場合、内磁気部２２Ａとボイスコイル２６の内側面との間の通路を通じて、空間内の空気が外部へ流出する。一方、振動板２５が、空間の容積を増加させる方向に振動する場合、ラウドスピーカ２１の外部から通路を通じて、空気が空間内へ流入する。この際に、磁性流体２７は、保持部２７Ａと空隙部３２Ａとの境界付近で飛散しやすくなる。しかし、本構成では、この際にも、磁性流体２７は、切り欠き部３１Ａにおける内マグネット２９の磁力によって、切り欠き部３１Ａ１にしっかりと保持されている。そのために、磁性流体２７の空隙部３２への侵入を抑制できる。そして、空気が通過する通路の断面積の減少を抑制できるので、通路を通過する空気の速度の上昇を抑制できる。その結果、磁性流体の飛散が抑制される。
【００４２】
本実施の形態では、磁性流体の飛散を抑制できるので、磁性流体の量の減少が抑制される。したがって、磁力の小さな小型の内マグネット２９を用いても、磁気ギャップ２３Ａの磁束密度を維持できる。そのために、ラウドスピーカ２１は、小型でありながら、高い耐入力や広い再生周波数などの特性に優れている。また、ボイスコイルの温度の上昇を抑制できるので、ラウドスピーカ２１の耐入力を大きくできる。そのために、ラウドスピーカ２１の音圧特性が向上する。
【００４３】
以下、ラウドスピーカ２１についてさらに詳しく説明する。ラウドスピーカ２１は、ターミナル３３を有しているのが好ましい（図２、図３）。ターミナル３３は、インサート成型などによって、フレーム２４と結合されている。ターミナル３３は、ボイスコイル２６と電気的に接続されている。ターミナル３３へ、音声信号を入力することにより、ボイスコイル２６が振動する。
【００４４】
次に、磁性流体２７について説明する。磁性流体２７の飽和磁束密度は、大きい方が好ましい。飽和磁束密度が大きい方が、磁性流体２７は、内マグネット２９による磁気的吸引力により、磁気ギャップ２３Ａ内に吸引されやすくなる。そのため、飛散がさらに抑制される。なお、磁性流体２７の飽和磁束密度は、２０ｍＴ以上、２００ｍＴ以下が好ましい。飽和磁束密度が２００ｍＴを超える場合、磁性流体２７は、磁性粉体を多く含んでいるため、ボイスコイル２６の振動が妨げられる。一方、飽和磁束密度が２０ｍＴ未満の場合、磁気による吸引力が低下する。したがって、磁性流体２７が飛散しやすい。２０ｍＴ以上、２００ｍＴ以下の飽和磁束密度の磁性流体２７を用いることで、ラウドスピーカ２１の音圧周波数特性が優れる。
【００４５】
ボイスコイル２６の内側面に対しての磁性流体２７の表面張力は、小さい方が好ましい。この構成により、磁性流体２７の、ボイスコイル２６に対する濡れ性が向上する。したがって、保持部２７Ａにおける、磁性流体２７とボイスコイル２６とが接する面積が増加する。その結果、磁性流体２７の飛散が抑制される。
【００４６】
ボイスコイル２６と内磁気部２２Ａとの間の隙間や、ボイスコイル２６の第２端２６Ｂと下部プレート２８との間の隙間は非常に小さい。ボイスコイル２６の内側面に対しての磁性流体２７の表面張力が小さい場合、磁性流体２７は、毛細管現象により、上記の隙間に入り込む可能性がある。そこで、ボイスコイル２６は、側面２３０Ａを除く第２端２６Ｂに、コート剤あるいは接着剤（図示せず）を塗布することが好ましい。さらに、内マグネット２９の側面や、下部プレート２８の上面や、内マグネット２９と内プレート３０との間や、内プレート３０の上面などにも、コート剤あるいは接着剤を塗布することが好ましい。この構成により、磁性流体２７が、保持部２７Ａ以外の狭い隙間へ入り込むのを抑制できる。また、磁性流体２７が、内プレート３０の上面に流れ出すのを抑制できる。なお、コート剤や接着剤として、たとえばフッ素系材料が用いられる。フッ素系のコート剤や接着剤は、磁性流体２７をはじくので、磁性流体２７の流出を抑制できる。
【００４７】
ボイスコイル２６と振動板２５との結合部に、磁性流体２７が到達した場合、毛細管現象により、磁性流体２７は、ボイスコイル２６と振動板２５との結合部に沿って、他の箇所に広がる可能性がある。そこで、ボイスコイル２６の、側面２３０Ａを除く第１端２６Ａに、コート剤あるいは接着剤が塗布されているのが好ましい。この構成により、磁性流体２７が、ボイスコイル２６と振動板２５との結合部へ到達することが抑制される。
【００４８】
上面から見た場合のボイスコイル２６の形状が略四角形である場合、ボイスコイル２６の四隅に到達した磁性流体２７は、毛細管現象によって四隅を這い上がり、ボイスコイル２６と振動板２５との結合部に到達する。そして、この場合も、磁性流体２７が、ボイスコイル２６と振動板２５との結合部に沿って、他の箇所に広がる可能性がある。そこで、ボイスコイル２６の四隅にはコート剤あるいは接着剤が塗布されているのが好ましい。この構成により、磁性流体２７が、四隅に到達することが抑制される。
【００４９】
なお、コート剤あるいは接着剤は、ボイスコイル２６の側面２３０Ａを除く領域全体に塗布する構成に限られず、ボイスコイル２６の側面２３０Ａを囲むように塗布されていても良い。
【００５０】
次に磁気回路２２について詳細に説明する。外磁気部２２Ｂは、磁気ギャップ２３Ａを介して、側面３０Ａと対向している。なお、図４において、磁気回路２２を上面から見た場合、内プレート３０の右の側面を側面３０Ａ１とし、左の側面を側面３０Ａ２としている。そして、磁気ギャップ２３Ａ１を介して、側面３０Ａ１と対向する外磁気部を外磁気部２２Ｂ１とし、磁気ギャップ２３Ａ２を介して、側面３０Ａ２と対向する外磁気部を外磁気部２２Ｂ２としている。側面３０Ａ１と、側面３０Ａ２とを総称して、側面３０Ａとしている。磁気ギャップ２３Ａ１と、磁気ギャップ２３Ａ２とを総称して、磁気ギャップ２３Ａとしている。外磁気部２２Ｂ１と、外磁気部２２Ｂ２とを総称して、外磁気部２２Ｂとしている。
【００５１】
いいかえれば、内マグネット２９は、側面１３０Ａ１（第１側面）と、側面１３０Ａ１の反対側で側面１３０Ａ１と略平行な側面１３０Ａ２（第２側面）とを有し、ている。また、内プレート３０は、側面１３０Ａ１に略平行な側面３０Ａ１（第３側面）と、側面１３０Ａ２に略平行な側面３０Ａ２（第４側面）とを有している。そして、外磁気部２２Ｂ１（第１の外磁気部）は、磁気ギャップ２３Ａ１（第１の磁気ギャップ）を介して、側面３０Ａ１と対向して配置されている。外磁気部２２Ｂ２（第２の外磁気部）は、磁気ギャップ２３Ａ２（第２の磁気ギャップ）を介して、側面３０Ａ２と対向して配置されている。ここで、側面１３０Ａ１と側面１３０Ａ２とを総称して側面１３０Ａとする。
【００５２】
また、内マグネット２９は、側面１３０Ａ１と略直交する側面１３０Ｄ１（第５側面）と、側面１３０Ｄ１の反対側で側面１３０Ｄ１と略並行な側面１３０Ｄ２（第６側面）とを有している。そして、内プレート３０は、側面１３０Ｄ１に略平行な側面３０Ｄ１（第７側面）と、側面１３０Ｄ２に略平行な側面３０Ｄ２（第８側面）とを有している。ここで、側面１３０Ｄ１と側面１３０Ｄ２とを総称して側面１３０Ｄとする。
【００５３】
ここで、外磁気部２２Ｂは、側面３０Ａの全体と対向しているのが好ましい。しかし、外磁気部２２Ｂは、側面３０Ａの一部と対向していても構わない。この構成により、磁気ギャップ２３Ａでの磁力は向上する。また、図１に示すように、ボイスコイル２６の外側面と、外磁気部２２Ｂとの間にも磁性流体が保持されているのが好ましい。すなわち、ボイスコイル２６の外側面と、外磁気部２２Ｂとの間にも保持部２７Ｃが設けられているのが好ましい。この構成により、さらに磁気ギャップ２３Ａの磁束密度が向上する。
【００５４】
図３に示すように、外磁気部２２Ｂは、外マグネット３４と、外プレート３５を有しているのが好ましい。すなわち、外磁気部２２Ｂ１は、外マグネット３４Ａ（第１の外マグネット）と、外プレート３５Ａ（第１の外プレート）とを有しているのが好ましい。また、外磁気部２２Ｂ２は、外マグネット３４Ｂ（第２の外マグネット）と、外プレート３５Ｂ（第２の外プレート）とを有しているのが好ましい。なお、外マグネット３４Ａと、外マグネット３４Ｂとを総称して、外マグネット３４としている。外プレート３５Ａと、外プレート３５Ｂとを総称して、外プレート３５としている。ここで、外マグネット３４は、下部プレート２８を介して、内マグネット２９と磁気的に直列に結合されている。内マグネット２９は、外マグネット３４の着磁方向と逆である。この場合、外マグネット３４は、下部プレート２８の上部と結合されている。さらに、外プレート３５は、外マグネット３４の上部と結合されている。この場合、内プレート３０の側面と、外プレート３５の側面とが対向して配置されている。そして、内プレート３０の側面と、外プレート３５の側面との間に磁気ギャップ２３Ａが形成されている。この構成により、磁気ギャップ２３Ａの磁束密度を大きくできる。そのため、ラウドスピーカ２１の音圧特性が優れる。
【００５５】
内プレート３０、外プレート３５、および下部プレート２８は、磁性材料によって形成されている。なお、これらは、小さな磁気抵抗と、大きな飽和磁束密度を有するのが好ましい。よって、これらは、パーメンジュールによって形成されるのが好ましい。この構成により、磁気ギャップ２３Ａの磁束密度を向上できる。したがって、磁性流体２７をより強い磁気的吸引力で磁気ギャップ２３Ａに保持できる。その結果、磁性流体２７の飛散を防止できる。
【００５６】
図２に示すように、磁極２９Ａは、切り欠き部３１で露出しているのが好ましい。この構成により、内磁気部２２Ａは、切り欠き部３１により、段差を有する。このため、磁性流体２７が、切り欠き部３１から内プレート３０の上面に溢れ出すのを抑制できる。なお、切り欠き部３１において、磁極２９Ａが露出していなくてもよい。すなわち、切り欠き部３１において、磁極２９Ａの一部または全体が、非磁性材料により覆われていても構わない。内マグネット２９と内プレート３０との間は、接着剤によって結合されている。そして、切り欠き部３１において、接着剤などの樹脂が、磁極２９Ａの一部または全体を覆っていてもよい。この構成により、切り欠き部３１において、内マグネット２９と内プレート３０との間に隙間が発生するのを抑制できる。その結果、磁性流体２７が、内マグネット２９と内プレート３０との間に流れ込むのを抑制できる。
【００５７】
内マグネット２９の磁束は、切り欠き部３１と内マグネット２９とが重なる領域において、一旦空中に向かって放射されている。一般的に磁束は、磁気抵抗の大きい方から小さい方へと向かって進む。したがって、内マグネット２９から一旦空中に向かって放射された磁束は、切り欠き部３１内で、側面３０Ｂに向かって進む。この磁束より、磁性流体２７は、磁極２９Ａと側面３０Ｂとによって形成された領域に保持される。その結果、図１に示すように、磁性流体２７の保持部２７Ｂ（溜り部）が形成される。
【００５８】
なお、磁性流体２７の保持部２７Ｂ（溜り部）は、保持部２７Ａとつながっていることが好ましい。この構成により、保持部２７Ｂは、保持部２７Ａの磁性流体２７から分離されるのを抑制できる。その結果、保持部２７Ａの磁性流体２７が、飛散するのをさらに抑制できる。
【００５９】
また、側面３０Ａと内マグネット２９の側面との間の差は小さい方が好ましい。すなわち、側面３０Ａと内マグネット２９の側面とが、同一面上に並んでいることが、さらに好ましい。この構成により、切り欠き部３１において、内磁気部２２Ａとボイスコイル２６の内側面との間の距離を小さくできる。したがって、保持部２７Ｂが、保持部２７Ａの磁性流体２７から分離されるのを抑制できる。
【００６０】
側面３０Ｄとボイスコイル２６の内側面（側面２３０Ｄ）との間の距離は、側面３０Ａとボイスコイル２６の内側面（側面２３０Ａ）との間の距離よりも長いのが好ましい。この構成により、空隙部３２の面積が、磁性流体２７によって減少することを抑制できる。ここで、空隙部３２とは、内プレート３０の側面３０Ｃと、ボイスコイル２６との間の隙間である。
【００６１】
切り欠き部３１は、切り欠き部３１Ａ１と、切り欠き部３１Ａ２と、切り欠き部３１Ｂ１と、切り欠き部３１Ｂ２とを有することが好ましい（図１、図４）。この場合、切り欠き部３１Ａ１と、切り欠き部３１Ａ２と、切り欠き部３１Ｂ１と、切り欠き部３１Ｂ２のそれぞれは、側面３０Ｂを有している（図４）。なお、切り欠き部３１Ａ１と、切り欠き部３１Ａ２とによって、一対の切り欠き部３１Ａが形成されている。また、切り欠き部３１Ｂ１と、切り欠き部３１Ｂ２とによって、一対の切り欠き部３１Ｂが形成されている。側面３０Ａ１は、切り欠き部３１Ａ１と、切り欠き部３１Ｂ１との間に設けられている。側面３０Ａ２は、切り欠き部３１Ａ２と、切り欠き部３１Ｂ２との間に設けられている。ここで、側面３０Ｃ１と側面３０Ｃ２とを総称して、側面３０Ｃとする。側面３０Ｄ１と側面３０Ｄ２とを総称して、側面３０Ｄとする。側面３０Ｃ１は、側面３０Ｄ１と、側面３０Ｂ１と、側面３０Ｂ２とを有している。側面３０Ｃ２は、側面３０Ｄ２と、側面３０Ｂ１と、側面３０Ｂ２とを有している。
【００６２】
この構成により、側面３０Ｃ１と、ボイスコイル２６の内側面（側面２３０Ｄ）との間に空隙部３２Ａが形成される（図１）。また、側面３０Ｃ２と、ボイスコイル２６の内側面（側面２３０Ｄ）との間に空隙部３２Ｂが形成される。
【００６３】
言い換えれば、ボイスコイル２６は、内プレート３０の側面３０Ａ１（第３側面）と略並行な側面２３０Ａ１（第９側面）と、側面３０Ａ２（第４側面）と略並行な側面２３０Ａ２（第１０側面）とを有している。さらに、ボイスコイル２６は、内プレート３０の側面３０Ｄ１（第７側面）と略並行な側面２３０Ｄ１（第１１側面）と、側面３０Ｄ２（第８側面）と略並行な側面２３０Ｄ２（第１２側面）と、を有している。内プレート３０の側面３０Ｄ１とボイスコイル２６の側面２３０Ｄ１との間に空隙部３２Ａが形成されている。また、内プレート３０の側面３０Ｄ２とボイスコイル２６の側面２３０Ｄ２との間に空隙部３２Ｂが形成されている。
【００６４】
図１では、空隙部３２Ａや空隙部３２Ｂの両端に切り欠き部３１が配置された構成である。したがって、磁性流体２７が空隙部３２Ａや空隙部３２Ｂへ流れ込むのを抑制できる。その結果、上面から見た場合の、空隙部３２Ａや空隙部３２Ｂの面積の減少を抑制できる。すなわち、空気が流れる通路の面積が減少するのを抑制できるので、通路を通過する空気の流速の増加を抑制できる。その結果、磁性流体２７の飛散が抑制される。
【００６５】
なお、切り欠き部３１は、２つの一対の切り欠き部を含む構成に限らない。すなわち、切り欠き部の数はいくつでもよい。例えば、内プレート３０には、３つ以上の一対の切り欠き部が形成されていてもよい。また、一対の切り欠き部３１は、内プレート３０の中心に対して１８０度の回転対称となるように配置されているのが好ましい。この構成により、振動板２５のローリングの発生を抑制できる。
【００６６】
ラウドスピーカ２１は、ネット３６を、さらに有するのが好ましい（図２）。ネット３６は、ラウドスピーカ２１の背面に設けられる。ネット３６は、たとえば下部プレート２８の背面に貼りつけても良い。この場合、下部プレート２８にフレーム２４の内部の空間と、フレーム２４の外部とをつなぐ開口孔３７を設ける。そして、ネット３６は、開口孔３７を塞ぐように貼り付ける。そして、ネット３６の網目の大きさを調整することによって、ネット３６がフィルタの役目を果たし、振動板２５に音響負荷をかけることができる。これにより、振動板２５の振幅を抑制できるので、磁性流体２７の飛散が抑制される。また、ラウドスピーカ２１内に塵やごみなどが侵入することを抑制できる。なお、開口孔３７は、下部プレート２８に設けた構成に限られず、フレーム２４に設けても構わない。
【００６７】
図４に示すように、磁気回路２２は、略四角形であることが好ましい。この構成により、ラウドスピーカ２１を小さくでき、効率的に電子機器内へ収納できる。以下、磁気回路２２の形状が、四角形である場合のラウドスピーカ２１について説明する。この場合、内磁気部２２Ａと、外磁気部２２Ｂ、およびボイスコイル２６を上面から見た場合の形状は、略四角形である。内マグネット２９と内プレート３０を上面から見た場合の形状は、略四角形である。すなわち、内マグネット２９と内プレート３０は略立方体である。また、外マグネット３４と外プレート３５を上面から見た場合の形状は、略四角形である。すなわち、外マグネット３４と、外プレート３５も略立方体である。
【００６８】
側面３０Ａ１と、側面３０Ａ２とは、平行である。側面３０Ａ２は、側面３０Ａ１の反対側に配置されている。外磁気部２２Ｂは、外磁気部２２Ｂ１と、外磁気部２２Ｂ２とを有している。この場合、内磁気部２２Ａは、外磁気部２２Ｂ１と、外磁気部２２Ｂ２との間に挟まれて配置されている。この構成により、側面３０Ａ１と外磁気部２２Ｂ１との間と、側面３０Ａ２と外磁気部２２Ｂ２との間に磁気ギャップ２３Ａが形成される。さらに、また、内磁気部２２Ａと外磁気部２２Ｂとが対向する面積を増加できるので、ボイスコイル２６へ供給する磁力が向上する。したがって、優れた音圧レベル特性を有するラウドスピーカ２１が得られる。
【００６９】
なお、図３に示すように、外磁気部２２Ｂ１は、外マグネット３４Ａと、外プレート３５Ａとを有するのが好ましい。外磁気部２２Ｂ２は、外マグネット３４Ｂと、外プレート３５Ｂとを有するのが好ましい。この場合、内プレート３０の側面３０Ａ１と、外プレート３５Ａの側面とが対向している。また、内プレート３０の側面３０Ａ２と、外プレート３５Ｂの側面とが対向している。そして、磁気ギャップ２３Ａは、側面３０Ａ１と外プレート３５Ａの側面との間と、側面３０Ａ２と外プレート３５Ｂの側面との間に形成されている。なお、外マグネット３４Ａと外マグネット３４Ｂは、内マグネット２９に対して磁気的に直列に接続されている。この構成により、磁気ギャップ２３Ａの磁束密度が向上する。その結果、音圧レベル特性のさらに優れたラウドスピーカ２１が得られる。
【００７０】
切り欠き部３１Ａは、内プレート３０の４箇所の角部に形成することが好ましい（図１、図４）。この場合、側面３０Ｄ１は、切り欠き部３１Ａ１と、切り欠き部３１Ａ２との間に設けられている。一方、側面３０Ｄ２は、切り欠き部３１Ｂ１と、切り欠き部３１Ｂ２との間に設けられている。この構成により、磁性流体２７が、ボイスコイル２６の四隅に流れ込むのを抑制できる。そのため、磁性流体２７が、図２に示す振動板２５へ付着するのを抑制できる。この結果、磁性流体２７の量が減少するのを抑制できる。すなわち、ボイスコイル２６の四隅へ到達した磁性流体２７が、毛細管現象により振動板２５への流れるのを防ぐことができる。
【００７１】
内プレート３０は、長辺と短辺を有している。内マグネットも長辺と短辺とを有している。そして、内プレート３０の長辺と、内マグネット２９の長辺とが、同じ方向に揃うように配置されている。この場合、側面３０Ａは、長辺に形成し、側面３０Ｄは短辺に形成されている。この構成により、内プレート３０を上面から見た場合、側面３０Ａの長さは、側面３０Ｄの長さよりも大きい。したがって、磁気ギャップ２３Ａでの磁束密度が向上する。その結果、磁性流体２７の飛散が抑制される。
【００７２】
内プレート３０の短辺の方向の長さは、内マグネット２９の短辺の方向の長さとほぼ等しいことが好ましい。この構成により、内マグネット２９の長辺側の側面と、内プレート３０の側面３０Ａとを揃えることができる。そして、内プレート３０の側面３０Ａと、内マグネット２９の長辺の側面とは、同一平面状に並んで配置されていることが好ましい。この構成により、保持部２７Ｂ（溜り部）が保持部２７Ａの磁性流体２７から分離されるのを抑制できる。そして、切り欠き部３１において、磁極２９Ａとボイスコイル２６との間の距離を小さくできる。したがって、保持部２７Ａでの磁性流体２７は、磁極２９Ａの強力な磁力によって吸引できる。その結果、さらに保持部２７Ｂが保持部２７Ａの磁性流体２７から分離されることを抑制できる。
【００７３】
内マグネット２９の４箇所の角部は、内プレート３０を上面から見た場合に、面取りされていることが好ましい。たとえば、内マグネット２９の４箇所の角部は、４５°面取り（Ｃ面取り）されていても良い。この構成により、空気の通路の面積が増加するので、通路を通過する空気の流速を遅くできる。また、内マグネット２９の角部とボイスコイル２６の内側面との間の隙間を大きくできるので、この隙間を通過する空気の流速を遅くできる。そして、切り欠き部３１を内マグネット２９の四隅の角部の位置に配置しているので、内マグネット２９の四隅の角部は、空隙部３２と保持部２７Ａとの境界の近傍に配置されている。この構成により、空隙部３２と保持部２７Ａとの境界の近傍における空気の流速を小さくできる。したがって、磁性流体２７の飛散をさらに抑制できる。なお、内マグネット２９の４箇所の角部は、４５°面取り（Ｃ面取り）されている構成に限られず、丸く面取り（Ｒ面取り）されていても良い。
【００７４】
次に、種々の切り欠き部の形状について説明する。図５Ａは、本実施の形態における他の内磁気部７１の上面図である。図５Ｂは、本実施の形態における他の内磁気部７３の上面図である。図５Ｃは、本実施の形態における他の内磁気部７５の上面図である。図５Ｄは、本実施の形態における他の内磁気部７７の上面図である。図５Ｅは、本実施の形態における他の磁気回路８１の斜視図である。磁気回路８１は、図４の磁気回路２２における内磁気部２２Ａを、内磁気部７１におきかえた磁気回路である。
【００７５】
図５Ａは、角に切り欠き部３１Ｃを形成した内プレート５１を用いた内磁気部７１の上面図である。内プレート５１は、図４に示す切り欠き部３１に代えて、切り欠き部３１Ｃを有している。すなわち、切り欠き部３１Ｃは、内プレート５１の四隅の角を面取りすることによって形成されている。切り欠き部３１Ｃは、上面から見て四角形の内プレートの四隅を４５°面取りすることにより形成されている。なお、切り欠き部３１Ｃは、４５°に面取り（Ｃ面取り）された構成に限られず、丸く面取り（Ｒ面取り）されていても良い。
【００７６】
図５Ｂは、切り欠き部３１Ｄを形成した内プレート５３を用いた内磁気部７３の上面図である。内プレート５３は、図４に示す切り欠き部３１に代えて、切り欠き部３１Ｄを形成している。ここで、切り欠き部３１Ｄ１と切り欠き部３１Ｄ２とを総称して切り欠き部３１Ｄとする。切り欠き部３１Ｄ１と、切り欠き部３１Ｄ２は、内プレート５３の互いに対向した２辺に形成されている。なお、切り欠き部３１Ｄは、内プレート５３の短辺に形成することが好ましい。すなわち、ボイスコイル２６の側面２３０Ｄから内プレート３０の側面３０Ｄまでの距離が、ボイスコイル２６の側面２３０Ｄから内マグネット２９の側面１３０Ｄまでの距離よりも長い。この構成により、磁気ギャップ２３Ａでの磁束密度を向上できる。また、この構成により、内プレート５３の側面３０Ｃとボイスコイル２６の側面２３０Ｄとの間の距離を、内プレート５３の側面３０Ａとボイスコイル２６の側面２３０Ａとの間の距離よりも、さらに長くできる。そのため、空気の通路が磁性流体２７によって狭くなるのを抑制できる。
【００７７】
図５Ｃは、切り欠き部３１Ｅを形成した場合の内プレート５５を用いた内磁気部７５の上面図である。内プレート５５は、図４に示す切り欠き部３１Ａに代えて、切り欠き部３１Ｅを形成している。切り欠き部３１Ｅは、内プレート５５の各長辺に２ヶ所ずつ形成されている。切り欠き部３１Ｅ１と、切り欠き部３１Ｅ２と、切り欠き部３１Ｅ３と、切り欠き部３１Ｅ４とを総称して切り欠き部３１Ｅとしている。側面３０Ａ１に、切り欠き部３１Ｅ１、３１Ｅ２が形成されている。側面３０Ａ２に、切り欠き部３１Ｅ３、３１Ｅ４が形成されている。この構成により、側面３０Ａ１の切り欠き部３１Ｅ１、３１Ｅ２を除いた３箇所の平面と外磁気部２２Ｂとの間と、側面３０Ａ２の切り欠き部３１Ｅ３、３１Ｅ４を除いた３箇所の平面と外磁気部２２Ｂとの間に、磁気ギャップ２３Ａが形成される。したがって、磁気ギャップ２３Ａでの磁力を向上できる。また、短辺の長さが短い場合でも、空気の通路の面積を確保できる。したがって、内マグネット２９の短辺方向の長さを短くできる。その結果、ラウドスピーカ２１を小さくできる。
【００７８】
図５Ｄは、切り欠き部３１Ｆを形成した場合の内プレート５７を用いた内磁気部７７の上面図である。内プレート５７は、図４に示す切り欠き部３１に代えて、切り欠き部３１Ｆを形成している。切り欠き部３１Ｆは、内プレート５７の各短辺に２ヶ所ずつ形成されている。この構成により、内プレート５７は、側面３０Ａの長辺部分全体で、外磁気部２２Ｂと対向できる。したがって、磁気ギャップ２３Ａの磁力が向上する。
【００７９】
図６は、磁気回路１２２の斜視図である。図７は、ラウドスピーカ２２２の断面図である。磁気回路１２２は、図５Ｅに示す磁気回路８１に、外磁気部２２Ｃと連結部３８Ｂとを加えた構成である。ラウドスピーカ２２２の磁気回路は、図５Ｅに示す磁気回路８１に、外磁気部２２Ｃとを加えた構成である。ここで、外磁気部２２Ｃは、外プレート３８Ａである。ここで、外磁気部２２Ｃ１と外磁気部２２Ｃ２とを総称して外磁気部２２Ｃとする。また、外プレート３８Ａ１と外プレート３８Ａ２とを総称して外プレート３８Ａとする。
【００８０】
磁気回路１２２において、外プレート３８Ａは、外プレート３５Ａ、３５Ｂと、連結部３８Ｂを介して結合している。ラウドスピーカ２２２において、外プレート３８Ａは、下部プレート２８と直接結合している。
【００８１】
内プレート３０と外プレート３８Ａとの間には磁気ギャップ２３Ｂが形成されている。ここで、磁気ギャップ２３Ｂ１と磁気ギャップ２３Ｂ２とを総称して磁気ギャップ２３Ｂとする。
【００８２】
外磁気部２２Ｃ１（第３の外磁気部）は、磁気ギャップ２３Ｂ１（第３の磁気ギャップ）を介して、側面３０Ｄ１と対向している。外磁気部２２Ｃ２（第４の外磁気部）は、磁気ギャップ２３Ｂ２（第４の磁気ギャップ）を介して、側面３０Ｄ２と対向している。そして、図２に示すボイスコイル２６の第２端２６Ｂは、磁気ギャップ２３Ａと磁気ギャップ２３Ｂに挿入される。
【００８３】
磁気回路１２２において、外プレート３８Ａは、外プレート３５Ａ、３５Ｂと磁気的、および機械的に結合されているのが好ましい。なお、磁気回路１２２において、外プレート３８Ａは、連結部３８Ｂを介さず、直接、外プレート３５Ａ、３５Ｂと結合していてもよい。この構成により、磁気ギャップ２３Ａに加えて磁気ギャップ２３Ｂでもボイスコイル２６に磁束を作用させることができる。したがって、ラウドスピーカ２１の音圧レベル特性が向上する。
【００８４】
なお、連結部３８Ｂが、外プレート３５Ａや外プレート３５Ｂの周縁端部から、下部プレート２８に向かって、折れ曲がっていることが好ましい。あるいは、外プレート３５Ａや外プレート３５Ｂの周縁端部が、下部プレート２８に向かって折れ曲がっていてもよい。さらに、外プレート３８Ａは、外プレート３５Ａや外プレート３５Ｂと一体に形成されているのが好ましい。この構成により、部品点数を削減できるので、磁気回路１２２の組立工数が削減される。
【００８５】
ラウドスピーカ２２２において、外プレート３８Ａは下部プレート２８の外周端部から振動板２５の方向へ折れ曲がって形成されている。また、図７に示すように、外プレート３８Ａと下部プレート２８は一体に形成されていてもよい。
【００８６】
図８は、磁気回路３２２を用いたラウドスピーカ６００の上面断面図である。図９は、図８の線９−９における断面図である。図１０は、磁気回路３２２の上面図である。図８に示す磁気回路３２２は、図４に示す磁気回路２２に対して、外磁気部２２Ｄを加えた構造である。ここで、外磁気部２２Ｄ１と、外磁気部２２Ｄ２とを総称して外磁気部２２Ｄとする。外磁気部２２Ｄ１は、磁気ギャップ２３Ｂ１を介して、側面３０Ｄ１と対向している。外磁気部２２Ｄ２は、磁気ギャップ２３Ｂ２を介して、側面３０Ｄ２と対向している。
【００８７】
外磁気部２２Ｄ１は、外マグネット３４Ｃ（第３の外マグネット）と、外プレート３５Ｃとを有している。外磁気部２２Ｄ２は、外マグネット３４Ｄ（第４の外マグネット）と、外プレート３５Ｄとを有している（図９）。
【００８８】
外プレート３５Ｃの側面は、側面３０Ｄ１と対向している。一方、外プレート３５Ｄの側面は、側面３０Ｄ２と対向している。外プレート３５Ｃの側面と側面３０Ｄ１との間と、外プレート３５Ｄの側面と側面３０Ｄ２との間に磁気ギャップ２３Ｂが形成されている。外マグネット３４Ｃは、下部プレート２８と外プレート３５Ｃとの間に挟まれている。外マグネット３４Ｄは、下部プレート２８と外プレート３５Ｄとの間に挟まれている。外マグネット３４Ｃと、外マグネット３４Ｄとは、内マグネット２９と磁気的に直列に接続されている。すなわち、外マグネット３４Ｃと、外マグネット３４Ｄは下部プレート２８上に結合されている。そして、外マグネット３４Ｃと、外マグネット３４Ｄの磁極は、内マグネット２９の磁極と反対を向くように配置されている。
【００８９】
以上の構成により、磁気ギャップ２３Ｂに内マグネット２９による磁束に加えて、外マグネット３４Ｃと、外マグネット３４Ｄによる磁束が加算されて供給される。したがって、磁気ギャップ２３Ｂの磁束が増加する。その結果、優れた音圧レベルのラウドスピーカ６００が得られる。そしてこの場合も、内プレート３０に切り欠き部３１を設けているので、磁気ギャップ２３Ｂでの磁束が大きい場合でも、磁性流体２７によって空隙部３２Ａや空隙部３２Ｂの面積が減少するのを抑制できる。したがって、磁性流体２７の飛散を抑制できる。ここで、外マグネット３４Ｃ、３４Ｄは、外マグネット３４Ａや外マグネット３４Ｂと離れて配置されるのが好ましい。この構成により、外マグネット３４Ｃと外マグネット３４Ａとの間や、外マグネット３４Ｃと外マグネット３４Ｂとの間、さらに外マグネット３４Ｄと外マグネット３４Ａとの間や、外マグネット３４Ｄと外マグネット３４Ｂとの間に隙間が形成される。ボイスコイル２６を、これらの隙間を通して、ターミナル３３へと接続してもよい。
【００９０】
次にラウドスピーカ６００の空気の流れについて説明する。図１１は、磁気回路３２２を用いたラウドスピーカ６００の部分断面模式図である。図１１は、図８を矢印６１０から見た図である。図１２は、磁気回路３２２を用いたラウドスピーカ６００の部分上面断面図である。
【００９１】
外マグネット３４Ａ（第１の外マグネット）と、外マグネット３４Ｃ（第３の外マグネット）との最短距離を幅Ｗ１（第１の幅）とする。下部プレート２８と、ボイスコイル２６の第２端２６Ｂとの間の最短距離を高さＨ１とする。幅Ｗ１と高さＨ１とで開口Ａ１（第１の開口）が形成されている。幅Ｗ１に高さＨ１を乗じた値を面積Ｓ１（第１の面積）とする。すなわち、面積Ｓ１は、開口Ａ１の面積である。なお、わかりやすくするために、図１１において、開口Ａ１（面積Ｓ１）を斜線で示している。
【００９２】
また、外マグネット３４Ｂ（第２の外マグネット）と、外マグネット３４Ｃ（第３の外マグネット）との最短距離を幅Ｗ２（第２の幅）とする（図８参照）。幅Ｗ２と高さＨ１とで開口Ａ２（第２の開口）が形成されている。幅Ｗ２に高さＨ１を乗じた値を面積Ｓ２（第２の面積）とする。
【００９３】
また、外マグネット３４Ａ（第１の外マグネット）と、外マグネット３４Ｄ（第４の外マグネット）との最短距離を幅Ｗ３（第３の幅）とする（図８参照）。幅Ｗ３と高さＨ１とで開口Ａ３（第３の開口）が形成されている。幅Ｗ３に高さＨ１を乗じた値を面積Ｓ３（第３の面積）とする。
【００９４】
また、外マグネット３４Ｂ（第２の外マグネット）と、外マグネット３４Ｄ（第４の外マグネット）との最短距離を幅Ｗ４（第４の幅）とする（図８参照）。幅Ｗ４と高さＨ１とで開口Ａ４（第４の開口）が形成されている。幅Ｗ４に高さＨ１を乗じた値を面積Ｓ４（第４の面積）とする。
【００９５】
図１１、図１２において、空気の流れを矢印８００、８１０、８２０で示す。空気は、例えば矢印８００、８１０、８２０の順に流れる。そのため、外マグネット３４Ａ、３４Ｂ、３４Ｃ、３４Ｄは、お互いに離れて配置されているのが好ましい。そして開口Ａ１〜Ａ４により、空気の通路が構成される。したがって、開口Ａ１〜Ａ４を通過して、空気は、流出、あるいは流入できる。ここで、面積Ｓ１と、面積Ｓ２と、面積Ｓ３と、面積Ｓ４との総和を総面積ＴＳ１（第１の総面積）とする。
【００９６】
また、内プレート３０の上面から見て、空隙部３２の総面積を総面積ＴＳ２（第２の総面積）とする。さらに、内プレート３０の上面から見て、切り欠き部３１において、内マグネット２９が、磁性流体２７で覆われていない箇所の面積を総面積ＴＳ３（第３の総面積）とする。
【００９７】
総面積ＴＳ２（第２の総面積）から総面積ＴＳ３（第３の総面積）を差し引いた値を総面積ＴＳ４（第４の総面積）とする。図１２において、総面積ＴＳ４（第４の総面積）の一部を斜線で示している。総面積ＴＳ１（第１の総面積）は、総面積ＴＳ４（第４の総面積）より大きいことが好ましい。この構成により、磁性流体２７の飛散を抑制できる。
【００９８】
図１３は、磁気回路４２２を用いたラウドスピーカ６０２の断面図である。ラウドスピーカ６０２は、図４に示す磁気回路２２に代えて、磁気回路４２２を用いている。磁気回路４２２は、図４に示す外磁気部２２Ｂに代えて、外磁気部３８Ｄを用いている。外磁気部３８Ｄは、下部プレート２８と直接に結合されていても良い。また、外磁気部３８Ｄは、下部プレート２８と一体に形成されていてもよい。すなわち、外磁気部３８Ｄは下部プレート２８の外周端部から振動板２５の方向へ折れ曲がって形成されている。なお、磁気ギャップ２３Ａは、側面３０Ａと、外磁気部３８Ｄとの間に形成されている。
【００９９】
次に、内マグネットが四角ではない構成について説明する。図１４Ａは、円形状の磁気回路５２２Ａの上面図である。図１４Ｂは、楕円形状の磁気回路５２２Ｂの上面図である。図１４Ｃは、角丸長方形の内マグネット２９を用いた磁気回路５２２Ｃの上面図である。図１４Ａ〜図１４Ｃに示すように、上面から見た場合の内マグネットの形状は、円形状や、非円形状でも良い。すなわち、図１のラウドスピーカ２１は、略四角形の内マグネットを有しているが、内マグネットの形状は、円形や楕円形などでもよく、特に限定されない。また、図１のラウドスピーカ２１は２つの外磁気部を有しているが、図１４Ａ、図１４Ｂに示すように、１つの外磁気部でもよい。すなわち、外磁気部の数も特に限定されない。
【０１００】
図１４Ａに示すように、円形状の磁気回路２２の場合、内磁気部２２Ａを上面から見た場合の形状は、円形である。すなわち、内マグネット２９を上面から見た場合の形状は、円形である。また、内プレート３０を上面から見た場合の形状は、略円形である。一方、外磁気部２２Ｂと、ボイスコイル２６を上面から見た場合の形状は、円環状である。すなわち、外プレート３５と、外マグネット３４とは、中央部に円形の孔を有している。
【０１０１】
図１４Ｂに示すように、楕円形の磁気回路５２２Ｂの場合、内磁気部２２Ａを上面から見た場合の形状は、楕円形である。すなわち、内マグネット２９を上面から見た場合の形状は、楕円形である。また、内プレート３０を上面から見た場合の形状は、略楕円形である。一方、外磁気部２２Ｂと、ボイスコイル２６を上面から見た場合の形状は、楕円環状である。すなわち、外プレート３５と、外マグネット３４とは、中央部に楕円形の孔を有している。
【０１０２】
すなわち、図１４Ａ、図１４Ｂにおいて、外磁気部２２Ｂ（第１の外磁気部）は、磁気ギャップ２３Ａ（第１の磁気ギャップ）を介して、内プレート３０の周囲を囲むように形成されている。また、内プレート３０の上面から見て、内マグネット２９は円形または楕円形であり、切り欠き部３１は、内マグネット２９の上部で、内プレート３０の周辺に等間隔に形成されている。
【０１０３】
図１４Ｃに示すように、角丸長方形の内マグネット２９を用いた磁気回路５２２Ｃの場合、内磁気部２２Ａと、ボイスコイル２６を上面から見た場合の形状は、角丸長方形である。また、内プレート３０の形状は、略角丸長方形である。ここで、切り欠き部３１は、角丸長方形の直線箇所と曲線箇所との境界の上部に形成されている。
【０１０４】
なお、内マグネット２９を上面から見た場合の形状は、角丸長方形に限られず、円形や略四角形でも構わない。ただし、外磁気部２２Ｂは、略四角形であることが好ましい。この場合、外プレート３５と、外マグネット３４を上面から見た場合の形状は、略四角形である。
【０１０５】
また、外磁気部２２Ｂは、略四角形に限られず、角丸長方形であっても良い。この場合、上面から見た場合に、外プレート３５と、外マグネット３４とは、中央部に角丸長方形の孔を有していてもよい。なお、中央部の孔は、角丸長方形に限られず、略四角形でも構わない。この場合、外マグネット３４は、複数本のマグネットによって構成されるのが好ましい。
【０１０６】
以下、ラウドスピーカ７００を搭載した電子機器１００１について図面を参照しながら説明する。ここで、ラウドスピーカ７００は、ラウドスピーカ２１、２２２、６００、６０２のいずれか一つである。図１５は電子機器１００１の要部断面図である。電子機器１００１は、たとえば携帯電話やスマートフォンなどの携帯機器である。なお、電子機器１００１は、携帯電話やスマートフォンに限られず、携帯型のゲーム機や、ポータブルナビゲーションなどの携帯機器であってもよい。あるいは、電子機器１００１は、テレビ等の映像機器、さらにはパーソナルコンピュータなどの機器であってもよい。すなわち、ラウドスピーカ７００は、音を発するさまざまな用途の電子機器１００１に搭載できる。
【０１０７】
電子機器１００１は、ラウドスピーカ７００と、増幅部１００２を有している。増幅部１００２は、ラウドスピーカ７００へ電気信号を供給する。電子機器１００１は、外装ケース１００３を有するのが好ましい。また、電子機器１００１は、さらに表示部１００４を有していても良い。この場合、ラウドスピーカ７００と、増幅部１００２と、表示部１００４とは、外装ケース１００３内に収納されている。なお、表示部１００４は、たとえば液晶表示器である。ターミナル３３を増幅部１００２へ電気的に接続することによって、増幅部１００２からラウドスピーカ７００へ電気信号が供給される。
【０１０８】
電子機器１００１はラウドスピーカ７００を搭載している。そのために、電子機器１００１を誤って落下させた場合や、強い衝撃が加えられた場合などにおいても、磁性流体２７の飛散を防止できる。従って、このような場合に対しても、ラウドスピーカ７００の特性の劣化を抑制できる。その結果、ラウドスピーカ７００から出力される音の品質が、劣化するのを抑制できる。
【０１０９】
次に、ラウドスピーカ７００を搭載した移動体装置２００１について図面を参照しながら説明する。図１６は、移動体装置２００１の概念図である。移動体装置２００１はたとえば、自動車である。ただし、移動体装置２００１は、自動車に限らず、オートバイや、バスや、電車や、船舶等であっても構わない。移動体装置２００１は、動力発生部２００２と、駆動部２００３と、操舵部２００４と、本体部２００５と、ラウドスピーカ７００とを有している。動力発生部２００２と、駆動部２００３と、操舵部２００４と、ラウドスピーカ７００は、本体部２００５に搭載されている。動力発生部２００２は、移動体装置２００１を移動させるための動力を発生している。動力発生部２００２は、たとえばエンジンである。ただし、動力発生部２００２は、エンジンに限られず、モータであっても良い。あるいは動力発生部２００２は、モータを有していてもよい。
【０１１０】
駆動部２００３は、動力発生部２００２で発生した動力を伝達し、本体部２００５を移動させている。自動車の場合、駆動部２００３は、たとえばタイヤを有する。操舵部２００４は、駆動部２００３と連結され、本体部２００５の進行方向を変化させることができる。自動車の場合、操舵部２００４は、ハンドルなどである。
【０１１１】
移動体装置２００１が自動車である場合、ラウドスピーカ７００は、本体部のフロントパネルやリアトレイに組込まれていても構わない。また、ラウドスピーカ７００は、カーナビゲーション機器やカーオーディオ機器の一部として、本体部２００５へ搭載されていても良い。尚、ラウドスピーカ７００は、移動体装置の構成部品として、直接、本体部２００５へ搭載した構成に限られず、図１５に示す電子機器１００１へ搭載した状態で、移動体装置２００１へと搭載されていてもよい。
【０１１２】
以上の構成により、移動体装置２００１の移動時の振動や、他の移動体との衝突をした場合に衝撃があっても、磁性流体２７の飛散を防止できる。
【０１１３】
以上のように本開示によれば、切り欠き部が、空隙部と保持部の境界部分に設けられる。そして、上面から見た場合に、内プレートが内マグネットの外周端よりも内側に配置されているので、切り欠き部における内マグネットの磁力によって、磁性流体は、切り欠き部内に吸引された状態で保持される。したがって、ラウドスピーカへ衝撃力が加わった場合でも、内マグネットの磁力によって磁性流体を保持できる。また、磁性流体の空隙への流れ込みを抑制できるので、空隙が磁性流体によって埋まることを抑制できる。その結果、磁性流体の飛散の発生を抑制できる。
【産業上の利用可能性】
【０１１４】
本開示にかかるラウドスピーカは、磁性流体の飛散を抑制できるという効果を有し、携帯電話やスマートフォンなどの小型の携帯型電子機器等に対して有用である。
【符号の説明】
【０１１５】
２１  ラウドスピーカ
２２  磁気回路
２２Ａ  内磁気部
２２Ｂ  外磁気部
２２Ｂ１  外磁気部（第１の外磁気部）
２２Ｂ２  外磁気部（第２の外磁気部）
２２Ｃ  外磁気部
２２Ｃ１  外磁気部（第３の外磁気部）
２２Ｃ２  外磁気部（第４の外磁気部）
２２Ｄ  外磁気部
２２Ｄ１  外磁気部
２２Ｄ２  外磁気部
２３Ａ  磁気ギャップ
２３Ａ１  磁気ギャップ（第１の磁気ギャップ）
２３Ａ２  磁気ギャップ（第２の磁気ギャップ）
２３Ｂ  磁気ギャップ
２３Ｂ１  磁気ギャップ（第３の磁気ギャップ）
２３Ｂ２  磁気ギャップ（第４の磁気ギャップ）
２４  フレーム
２５  振動板
２６  ボイスコイル
２６Ａ  第１端
２６Ｂ  第２端
２７  磁性流体
２７Ａ  保持部
２７Ｂ  保持部（溜り部）
２７Ｃ  保持部
２８  下部プレート
２９  内マグネット
２９Ａ  磁極
２９Ｂ  磁極
３０  内プレート
３０Ａ  側面
３０Ａ１  側面（第３側面）
３０Ａ２  側面（第４側面）
３０Ｂ  側面
３０Ｂ１  側面
３０Ｂ２  側面
３０Ｃ  側面
３０Ｃ１  側面
３０Ｃ２  側面
３０Ｄ  側面
３０Ｄ１  側面（第７側面）
３０Ｄ２  側面（第８側面）
３１  切り欠き部
３１Ａ  切り欠き部
３１Ａ１  切り欠き部
３１Ａ２  切り欠き部
３１Ｂ  切り欠き部
３１Ｂ１  切り欠き部
３１Ｂ２  切り欠き部
３１Ｃ  切り欠き部
３１Ｄ  切り欠き部
３１Ｄ２  切り欠き部
３１Ｄ１  切り欠き部
３１Ｅ  切り欠き部
３１Ｅ１  切り欠き部
３１Ｅ２  切り欠き部
３１Ｅ３  切り欠き部
３１Ｅ４  切り欠き部
３２  空隙部
３１Ｆ  切り欠き部
３２Ａ  空隙部
３２Ｂ  空隙部
３３  ターミナル
３４  外マグネット
３４Ａ  外マグネット
３４Ｂ  外マグネット
３４Ｃ  外マグネット
３４Ｄ  外マグネット
３５  外プレート
３５Ａ  外プレート
３５Ｂ  外プレート
３５Ｃ  外プレート
３５Ｄ  外プレート
３６  ネット
３７  開口孔
３８Ａ  外プレート
３８Ａ１  外プレート
３８Ａ２  外プレート
３８Ｂ  連結部
３８Ｄ  外磁気部
５１  内プレート
５３  内プレート
５５  内プレート
５７  内プレート
６０  上面
６１  下面
７１  内磁気部
７３  内磁気部
７５  内磁気部
７７  内磁気部
８１  磁気回路
１２２  磁気回路
１３０Ａ  側面
１３０Ａ１  側面（第１側面）
１３０Ａ２  側面（第２側面）
１３０Ｄ  側面
１３０Ｄ１  側面（第５側面）
１３０Ｄ２  側面（第６側面）
２２２  ラウドスピーカ
２３０Ａ  側面
２３０Ａ１  側面（第９側面）
２３０Ａ２  側面（第１０側面）
２３０Ｄ  側面
２３０Ｄ１  側面（第１１側面）
２３０Ｄ２  側面（第１２側面）
３２２  磁気回路
４２２  磁気回路
５２２Ｂ  磁気回路
５２２Ｃ  磁気回路
５２２Ａ  磁気回路
１００１  電子機器
１００２  増幅部
１００３  外装ケース
１００４  表示部
２００１  移動体装置
２００２  動力発生部
２００３  駆動部
２００４  操舵部
２００５  本体部
６００  ラウドスピーカ
６１０  矢印
６０２  ラウドスピーカ
７００  ラウドスピーカ
８００，８１０，８２０  矢印
【図１】
0006596672.tif 000002
【図２】
0006596672.tif 000003
【図３】
0006596672.tif 000004
【図４】
0006596672.tif 000005
【図５Ａ】
0006596672.tif 000006
【図５Ｂ】
0006596672.tif 000007
【図５Ｃ】
0006596672.tif 000008
【図５Ｄ】
0006596672.tif 000009
【図５Ｅ】
0006596672.tif 000010
【図６】
0006596672.tif 000011
【図７】
0006596672.tif 000012
【図８】
0006596672.tif 000013
【図９】
0006596672.tif 000014
【図１０】
0006596672.tif 000015
【図１１】
0006596672.tif 000016
【図１２】
0006596672.tif 000017
【図１３】
0006596672.tif 000018
【図１４Ａ】
0006596672.tif 000019
【図１４Ｂ】
0006596672.tif 000020
【図１４Ｃ】
0006596672.tif 000021
【図１５】
0006596672.tif 000022
【図１６】
0006596672.tif 000023